(57)【要約】【課題】エアフィルタを設けた冷却ファン取付構造において、風量の低下を軽減できる電子機器の冷却ファン取付構造を提供する。【解決手段】筐体２の通気孔３の外側に外側エアフィルタ４を設けると共に、通気孔３の内側に冷却ファン１を設ける。外側エアフィルタ４と通気孔３との間に連通路２２を設け、この連通路２２の側面に吸入口２４を設けると共に、この吸入口２４にエアフィルタ２５を設ける。外側エアフィルタ４の箇所に加えて、連通路２２側面の吸入口２４の分だけが吸入面積を大きく取ることができるため、エアフィルタ４を用いても、風量の低下を軽減でき、吸入できる風量を多くすることができる。【選択図】図１
2008244340.tif 000002
【特許請求の範囲】
【請求項１】
筐体の通気孔の外側に外側エアフィルタを設けると共に、前記通気孔の内側に冷却ファンを設けた電子機器の冷却ファン取付構造において、前記外側エアフィルタと前記通気孔との間に連通路を設け、この連通路の側面に吸入口を設けると共に、この吸入口にエアフィルタを設けたことを特徴とする電子機器の冷却ファン取付構造。
【請求項２】
前記外側エアフィルタと前記通気孔との間に、前記連通路を内部に有する筒状体を設け、この筒状体の側面部に前記吸入口を設けたことを特徴とする請求項１記載の電子機器の冷却ファン取付構造。
【請求項３】
前記筒状体には、前記外側エアフィルタ又は前記筐体に固定する固定部を備えることを特徴とする請求項２記載の電子機器の冷却ファン取付構造。
【発明の詳細な説明】
【技術分野】
【０００１】
本発明は、電子機器を収納する筐体の通気孔に冷却ファンを取り付けた電子機器の冷却ファン取付構造に関する。
【背景技術】
【０００２】
従来のこの種の電子機器の冷却ファン取付構造として、例えば特許文献１には、冷却ファンは樹脂製のハウジング内に樹脂製のインペラを有し、前記ハウジングにネジなどを挿通可能な取付孔が設けられ、その冷却ファンを筐体の通気孔の内部に取り付けたものがある。また、特許文献２には、筐体の一部に通気孔を開口し、かつ通気孔に冷却ファンを取付けた電子機器の実装構造であって、通気孔の近傍に、複数の係止片よりなる固定手段を設け、かつ冷却ファンのケースに形成された取付け孔に係止片を挿入して係止片の先端を折り曲げることにより、筐体に対して冷却ファンを実装したものがある。
【０００３】
図７は、こうした冷却ファン取付構造の一例を示す分解斜視図である。同図において、101は冷却ファンであり、電子機器の筐体102は通気孔103を有し、この通気孔103の外側に多孔質材料などからなるエアフィルタ104を設け、その通気孔103の外側に前記冷却ファン101を設けており、この冷却ファン101を作動することにより、外部からエアが導入され、筐体102内部の電子機器が冷却される。
【特許文献１】特開２００６−３２２４２０号公報
【特許文献２】特開２００３−１２４６６７号公報
【発明の開示】
【発明が解決しようとする課題】
【０００４】
図７に示す冷却ファン取付構造では、エアフィルタ10により、筐体内へのごみの侵入を防止することができるが、捕捉するには、多孔質材料により構成されるエアフィルタ内の通気路を小さくする必要があるため、そのエアフィルタが抵抗となって吸引できる風量が低下するという問題が有る。
【０００５】
本発明は上記の各問題点に着目してなされたもので、エアフィルタを設けた冷却ファン取付構造において、風量の低下を軽減できる電子機器の冷却ファン取付構造を提供することを、その目的とする。
【課題を解決するための手段】
【０００６】
本発明は、上記目的を達成するために、筐体の通気孔の外側に外側エアフィルタを設けると共に、通気孔の内側に冷却ファンを設けた電子機器の冷却ファン取付構造において、前記外側エアフィルタと前記通気孔との間に連通路を設け、この連通路の側面に吸入口を設けると共に、この吸入口にエアフィルタを設けた構成としている。
【０００７】
また、本発明は、上記目的を達成するために、前記外側エアフィルタと前記通気孔との間に、前記連通路を内部に有する筒状体を設け、この筒状体の側面に前記吸入口を設けたものである。
【０００８】
さらに、本発明は、上記目的を達成するために、前記筒状体には、前記外側エアフィルタ又は前記筐体に固定する固定部を備えるものである。
【発明の効果】
【０００９】
請求項１の発明によれば、外側エアフィルタ箇所に加えて、連通路側面の吸入口の分だけが吸入面積を大きく取ることができるため、エアフィルタを用いても、風量の低下を軽減でき、吸入できる風量が多くなる。
【００１０】
請求項２の発明によれば、吸入口にエアフィルタを設けた筒状体を用いることにより、構造簡易にして、取付作業性に優れたものとなる。
【００１１】
請求項３の発明によれば、固定部を用いて筒状体を外側エアフィルタ又は筐体に簡便に取付固定することができる。
【発明を実施するための最良の形態】
【００１２】
以下、本発明における電子機器の冷却ファン取付構造の好ましい実施形態について、添付図面を参照しながら詳細に説明する。
【実施例１】
【００１３】
図１〜図３は、本実施例で提案する電子機器の冷却ファン取付構造を示したものである。同図に示すように、１は冷却ファンであり、電子機器の筐体２は通気孔３を有し、この通気孔３の外側に、外側エアフィルタ４を設け、この外側エアフィルタ４は前記通気孔３に対向してほぼ平行に配置され、その通気孔３の外側に前記冷却ファン１を設けており、この冷却ファン１を作動することにより、外部からエアを導入して筐体２内部の電子機器（図示せず）が冷却される。
【００１４】
前記冷却ファン１は、硬質合成樹脂製のハウジング１１内に硬質合成樹脂製のファン本体１０を有し、このファン本体１０はハウジング１１の貫通孔１２に配置され、前記ファン本体１０をモータなどにより回転することによって吸入力が得られるものである。また、前記ハウジング１１には、前記貫通孔１２を囲んで、固定用の取付孔１３が複数穿設されている。
【００１５】
前記筐体２は、その外面板１４に囲まれた内部に電子機器が内蔵され、前記外面板１４に円形の前記通気孔３を開口している。また、前記外面板１４には、前記通気孔３を囲んで、固定用の取付孔１５が複数穿設されている。
【００１６】
前記外側エアフィルタ４は、例えばスポンジ状の多孔質材料材どからなり、通過する空気に含まれる微細なごみを捕捉するものであって、枠体１６の開口部１７に取り付けられている。また、前記枠体１６には、前記開口部１７を囲んで、固定用の取付孔１８が複数穿設されている。
【００１７】
この例では、前記通気孔３と外側エアフィルタ４との間に、角筒形の筒状体２１を設ける。この筒状体２１の内部には前後に貫通する連通路２２が設けられ、この連通路２２により前記外側エアフィルタ４と通気孔３とが連通する。また、筒状体２１は四つの側面部２３を有し、これら側面部２３にそれぞれ吸入口２４を開設し、この吸入口２４にエアフィルタ２５を設け、このエアフィルタ２５により吸入口２４を塞いでいる。このエアフィルタ２５も前記外側エアフィルタ４と同様にスポンジ状の多孔質材料などからなる。尚、エアフィルタ４，２５は網目の細かいメッシュ状のものや、細いスリットを複数設けたものでもよい。
【００１８】
また、前記筒状体２１は、前記エアフィルタ２５と、図２に示す枠組体３１とからなる。この枠組体３１は、四角形の枠体３２，３２を前後に間隔を置いて配置し、それら前後の枠体３２，３２の四隅を前後方向の連結部３３により連結した骨組み構造をなし、前後の枠体３２，３２と両側の連結部３３との間の開口により前記吸込口２４を構成している。尚、枠組体３１は金属製や硬質合成樹脂製のものが用いられる。
【００１９】
さらに、前後の枠体３２，３２の角部の内側には、それぞれ板状の角リブ部３４が設けられ、この角リブ部３４に、固定用の固定部たる取付孔３５が設けられており、これら取付孔３５は前記取付孔１３，１５，１８に対応して配置されている。
【００２０】
そして、図３に示すように、ねじやグロメットなどの固定手段４１を用いて筒状体２１の前側に外側エアフィルタ４を固定し、この場合、筒状体２１の取付孔３５と枠体１６の取付孔１８を用い、これら取付孔３５，１８に前記固定手段４１を挿通することにより、固定を行う。また、同様に取付孔３５，１５と固定手段４１を用いて通気孔３の外側に筒状体２１を固定し、これにより、貫通孔３と外側エアフィルタ４との間に、筒状体２１を固定する。尚、筒状体２１は、外面板１４と枠体１６に当接した状態で、それら両側の当接箇所からは空気が入らないように固定される。
【００２１】
また、筐体２内の貫通孔３の内側に、冷却ファン１を固定し、この固定も同様に取付孔１５，１３と固定手段４１を用いて行うことができる。
【００２２】
このように構成した冷却ファン取付構造においては、冷却ファン１を駆動すると、図３に示すように、外側フィルタ４と筒状体２１の四方に位置するエアフィルタ２５とから外気が吸入され、吸入面積を大きく取ることにより、フィルタによる風量の低下を防止でき、冷却効果を向上することができる。
【００２３】
以上のように本実施例では、筐体２の通気孔３の外側に外側エアフィルタ４を設けると共に、通気孔３の内側に冷却ファン１を設けた電子機器の冷却ファン取付構造において、外側エアフィルタ３と通気孔３との間に連通路２２を設け、この連通路２２の側面に吸入口２４を設けると共に、この吸入口２４にエアフィルタ２５を設けたから、外側エアフィルタ４の箇所に加えて、連通路２２側面の吸入口２４の分だけが吸入面積を大きく取ることができるため、エアフィルタ４を用いても、風量の低下を軽減でき、吸入できる風量を多くすることができる。
【００２４】
また、外側エアフィルタ４と通気孔３との間に、連通路２２を内部に有する筒状体２１を設け、この筒状体２１の側面部２２に吸入口２４を設けたから、このように吸入口２４にエアフィルタ２５を設けた筒状体２１を用いることにより、構造簡易にして、取付作業性に優れたものとなる。
【００２５】
また、筒状体２１は、外側エアフィルタ４又は筐体４に固定する固定部たる取付孔３５を備えるから、取付孔３５を用いて筒状体２１を外側エアフィルタ４又は筐体に簡便に取付固定することができる。
【００２６】
さらに、実施形態上の効果として、筒状体２１は、骨組構造の枠組体３１とエアフィルタ２５となるから、比較的形状で、かつ強度的に優れ、枠体１６と共に外側フィルタ３を固定しても、十分な強度を有するものとなる。
【実施例２】
【００２７】
図４は、本発明の実施例２を示し、上記実施例１と同一部分に同一符号を付し、その詳細な説明を省略して詳述すると、この例では、前記筐体２が電子機器として電源装置（図示せず）を収納し、この電源装置を収納した筐体２が、他の電子機器などと共に、外筐体５１に収納された例であり、この外筐体５１の外面板５２に通気孔５３を設け、前記外面板５２には、前記通気孔５３を囲んで、固定用の取付孔５４が複数穿設されている。
【００２８】
そして、取付孔５４，１８と固定手段４１により、外筐体５１の通気孔５３に外側エアフィルタ４を固定し、取付孔１８，３５，３５、１５と固定手段４１により、外筐体５１の外面板５２と筐体２の外面板１４に接した挟まれた状態で、通気孔５３，３間に筒状体２１を固定し、冷却ファン１は通気孔３の内側に固定する。
【００２９】
このように構成した冷却ファンの取付構造では、冷却ファン１を駆動すると、外側フィルタ４，通気孔５３，筒状体２１内の連通路２２及び通気孔３を通って、外筐体５１の外部の外気が筐体２内に導入され、同時に筒状体２１の四方に位置するエアフィルタ２５を通って、筐体２と外筐体５１との間の外気が導入され、吸入面積を大きく取ることにより、フィルタによる風量の低下を防止できる。
【００３０】
以上のように本実施例では、筐体２の通気孔３の外側に外側エアフィルタ４を設けると共に、通気孔３の内側に冷却ファン１を設けた電子機器の冷却ファン取付構造において、外側エアフィルタ３と通気孔３との間に連通路２２を設け、この連通路２２の側面に吸入口２４を設けると共に、この吸入口２４にエアフィルタ２５を設けたから、第１実施例と同様に冷却効果を向上することができる。
【実施例３】
【００３１】
図５は、本発明の実施例３を示し、上記実施例１と同一部分に同一符号を付し、その詳細な説明を省略して詳述すると、この例の筒状体２１Ａは円筒形であり、枠組体３１Ａは前後の円形の枠体３２，３２を前後方向の連結部３３により複数個所で連結し、その筒状体２１Ａの円筒形の側面部２３Ａに複数の吸入口２４が設けられ、この吸入口２４に前記エアフィルタ２５が設けられている。尚、この場合、前後の枠体３２，３２にフランジ板（図示せず）を周設し、このフランジ板に、固定部たる前記取付孔３５を設けるようにすればよい。
【００３２】
以上のように本実施例においても、筒状体２１Ａの側面部２２Ａに吸入口２４を設け、この吸入口２４にエアフィルタ２５を設けたから、このエアフィルタ２５箇所からも外気を導入することができ、上記各実施例と同様な作用・効果を奏する。
【実施例４】
【００３３】
図６は、本発明の実施例４を示し、上記実施例１と同一部分に同一符号を付し、その詳細な説明を省略して詳述すると、この例の筒状体２１Ｂは多角形形状であり、枠組体３１Ｂは前後の八角形形状の枠体３２，３２をその角部で前後方向の連結部３３によりで連結し、その筒状体２１Ｂの８つの側面部２３Ｂに吸入口２４がそれぞれ設けられ、この吸入口２４に前記エアフィルタ２５が設けられている。尚、この場合、前後の枠体３２，３２にフランジ板（図示せず）を周設し、このフランジ板に、固定部たる前記取付孔３５を設けるようにすればよい。
【００３４】
以上のように本実施例においても、筒状体２１Ｂの側面部２２Ｂに吸入口２４を設け、この吸入口２４にエアフィルタ２５を設けたから、このエアフィルタ２５箇所からも外気を導入することができ、上記各実施例と同様な作用・効果を奏する。
【００３５】
なお、本発明は上記実施例に限定されるものではなく、本発明の要旨の範囲において種々の変形実施が可能である。例えば、筒状体の形状は適宜選定可能である。また、図４に示した第２実施形態において、外側フィルタ４と通気孔５３との間に筒状体を配置してもよい。また、筒状体は一側から他側に向かって拡大する形状でもよい。さらに、実施例では、筒状体２１の連通路２２の前側に、枠体１６を介して外側エアフィルタ４を固定したが、筒状体２１に外側エアフィルタを直接又は枠体などを用いて間接的に一体に設けてもよい。
【図面の簡単な説明】
【００３６】
【図１】本発明の第１実施形態における分解斜視図である。
【図２】同上、筒状体の枠組体の斜視図である。
【図３】同上、一部を断面にした取付状態の側面図である。
【図４】本発明の第２実施形態における分解斜視図である。
【図５】本発明の第３実施形態における筒状体の斜視図である。
【図６】本発明の第４実施形態における筒状体の斜視図である。
【図７】従来例における分解斜視図である。
【符号の説明】
【００３７】
１  冷却ファン
２  筐体
３  通気孔
４  外側エアフィルタ
２１，２１Ａ，２１Ｂ  筒状体
22  連通路
２３，２３Ａ，２３Ｂ  側面部
24  吸入口
25  エアフィルタ
３５  取付孔（固定部）
【図１】
2008244340.tif 000003
【図２】
2008244340.tif 000004
【図３】
2008244340.tif 000005
【図４】
2008244340.tif 000006
【図５】
2008244340.tif 000007
【図６】
2008244340.tif 000008
【図７】
2008244340.tif 000009